(57)【特許請求の範囲】
【請求項１】
フォームとデータを重ね合わせて印刷処理をする際、該フォーム内の領域に特色記録剤を印刷する方法であり、
前記フォーム内の領域に特色記録剤を印刷する際に、前記フォーム内の領域に特色記録剤を印刷する設定を行う特色記録剤設定ステップと、
前記フォーム内の領域は印字が行われる領域か判断する印字判断ステップと、
を備え、
前記印字判断ステップにて印字が行われると判断されたフォーム内の領域に対して、前記特色記録剤設定ステップにて行われた設定に従い特色記録剤を付加する特色記録剤付加ステップと、
前記印字判断ステップにて印字が行われないと判断されたフォーム内の領域に対して、前記特色記録剤設定ステップにて設定された特色記録剤設定を解除する特色記録剤設定解除ステップと、
を有することを特徴とした印刷方法。
【請求項２】
前記用紙とは帳票であり、前記フォーム内の領域とは前記特色記録剤設定ステップにおいて、前記特色記録剤を印刷する設定を行うことができる最小単位であること、を特徴とした請求項１に記載の印刷方法。
【請求項３】
前記特色記録剤とは、透明記録剤であることを特徴とした請求項１又は２に記載の印刷方法。
【請求項４】
フォームとデータを重ね合わせて印刷処理をする際、該フォーム内の領域に特色記録剤を印刷する印刷装置であり、
前記フォーム内の領域に特色記録剤を印刷する際に、前記フォーム内の領域に特色記録剤を印刷する設定を行う特色記録剤設定手段と、
前記フォーム内の領域は印字が行われる領域か判断する印字判断手段と、
を備え、
前記印字判断手段にて印字が行われると判断されたフォーム内の領域に対して、前記特色記録剤設定手段にて行われた設定に従い特色記録剤を付加する特色記録剤付加手段と、
前記印字判断手段にて印字が行われないと判断されたフォーム内の領域に対して、前記特色記録剤設定手段にて設定された特色記録剤設定を解除する特色記録剤設定解除手段と、を有することを特徴とした印刷装置。
【請求項５】
前記用紙とは帳票であり、前記フォーム内の領域とは前記特色記録剤設定手段において、前記特色記録剤設定を印刷する設定を行うことができる最小単位であること、を特徴とした請求項４に記載の印刷装置。
【請求項６】
前記特色記録剤とは、透明記録剤であることを特徴とした請求項４又は５に記載の印刷装置。
【請求項７】
コンピュータに、
フォームとデータを重ね合わせて印刷処理をし、該フォーム内の領域に特色記録剤を印刷する際に、前記フォーム内の領域に特色記録剤を印刷する設定を行う特色記録剤設定ステップと、
前記フォーム内の領域は印字が行われる領域か判断する印字判断ステップと、
を備え、
前記印字判断ステップにて印字が行われると判断されたフォーム内の領域に対して、前記特色記録剤設定ステップにて行われた設定に従い特色記録剤を付加する特色記録剤付加ステップと、
前記印字判断ステップにて印字が行われないと判断されたフォーム内の領域に対して、前記特色記録剤設定ステップにて設定された特色記録剤設定を解除する特色記録剤設定解除ステップと、を実行させるためのプログラム。
【請求項８】
請求項７に記載のプログラムを格納したことを特徴とするコンピュータが読み取ることが可能な記録媒体。
【発明の詳細な説明】
【技術分野】
【０００１】
本発明はフォーム作成装置により作成したフォームとテキスト形式のデータを重ね合わせて印刷するオーバレイ印刷に関するものである。
【背景技術】
【０００２】
企業の業務システムの大規模化にともないオーバレイ印刷で使用されるフォームの数や種類が膨大になっている。
【０００３】
一方、フォームをオーバレイ印刷した際、印刷物の特定領域の印刷内容に第三者が加筆修正することを防ぐため、編集操作時の排他制御を必要な時だけ実現したいという要求が非常に高まっている。
【０００４】
排他制御とは、一般的にファイルやデータベースに書き込み処理を行う際に、データの整合性を保つために、データの読み書きを一時的に制限することを言う。
【０００５】
ここでは、印刷後に第三者が印刷物に加筆修正をしないように、印刷物に加工を施す制御を行うことを編集操作の排他制御と言う。
【０００６】
従来このような要求に答えるために、コート紙などの「専用紙」でオーバレイ印刷を行うことや、オーバレイ印刷後に用紙全体に対してラミネート加工処理を行い、作成後の印刷物が加筆修正されないよう印刷物全体を修正排他制御していた。
【０００７】
また、従来から特色記録剤であるクリア（透明）記録剤を使用した印刷技術としては、以下のものようなものがある。
クリア（透明）記録剤とは、色素を持たず無色透明な画像を付加する特徴を有する。
以下、このクリア（透明）記録剤を、クリアトナーと呼ぶ。
【０００８】
例えば、特許文献１に示されるように、
ＩＤカードやキャッシュカード内の画像に隠蔽しない程度に半透明な色剤でマークを付与、複製等によるデータ改竄を防止する技術がある。
【０００９】
また、例えば特許文献２に示されるように
手形や小切手等の証券を発行する証券発行装置において、証券の券面の印刷項目を透明蛍光トナーで印刷可能にし簡易かつ安価にセキュリティの高い証券を発行する技術がある。
【００１０】
以上のように、データ改竄防止のためのマーク・文字をクリア記録剤で印刷するものとは別に次のような技術がある。
【００１１】
例えば特許文献３に示されるように、
有価証券や磁気カード等のシート基材面に、画像・文字・記号データをもとに大きさや形状などを自由に変えた剥離層を形成した剥離シートを提供する。
【００１２】
このようにシート基材表面に印刷により剥離層を無版方式で形成するものがある。クリア記録財は以上に示したように使用するものが一般的であった。
【特許文献１】特開平０３−２３４６７０
【特許文献２】特開２００４−１０２００８
【特許文献３】特開２００４−０８３７６０
【発明の開示】
【発明が解決しようとする課題】
【００１３】
従来の運用においては、業務システムが大規模化し印刷処理が大量に行われるほど、専用紙やラミネートフィルムを使用することによって印刷コストが増大する。
【００１４】
また、オーバレイ印刷時に用紙の切り替え処理を頻繁に行うことによってパフォーマンスが低下する。
【００１５】
そして、オーバレイ印刷処理とラミネート加工処理を制御することによってシステムが複雑化し、メンテナンスコストが増加する。
以上のような課題が顕在化していた。
【課題を解決するための手段】
【００１６】
上述した課題を解決するため、本発明の印刷方法は、
フォームとデータを重ね合わせて印刷処理をする際、該フォーム内の領域に特色記録剤を印刷する方法であり、前記フォーム内の領域に特色記録剤を印刷する際に、前記フォーム内の領域に特色記録剤を印刷する設定を行う特色記録剤設定ステップと、前記フォーム内の領域は印字が行われる領域か判断する印字判断ステップと、を備え、前記印字判断ステップにて印字が行われると判断されたフォーム内の領域に対して、前記特色記録剤設定ステップにて行われた設定に従い特色記録剤を付加する特色記録剤付加ステップと、前記印字判断ステップにて印字が行われないと判断されたフォーム内の領域に対して、前記特色記録剤設定ステップにて設定された特色記録剤設定を解除する特色記録剤設定解除ステップと、を有することを特徴とする。
【発明の効果】
【００１７】
本発明により、用紙内の必要な部分にのみ特色記録剤による記録を行うことで、必要な部分にのみ編集操作の排他制御をすることが可能になる。
【００１８】
必要な部分とは、用紙内に第三者による加筆修正等の編集操作時に使用される可能性のある部分である。
【００１９】
この結果、必要な箇所にのみ特色記録剤による記録を行うので、トナーやインク等の記録剤の消費を抑えることができる。
【００２０】
また、本発明により、テキスト形式のデータが印字されない領域であっても、印刷を行うユーザの権限がない個所には特色記録剤設定を解除しないで特色記録剤による印刷を行う。
【００２１】
この結果、権限のない第三者によって印刷物に加筆修正等の編集操作が行われることを防ぐことができる。
【発明を実施するための最良の形態】
【００２２】
（実施例１）
以下、図面を参照して本発明に係る実施形態を説明する。
【００２３】
本発明に係る実施例では、フォーム作成装置により作成したフォームとテキスト形式のデータを重ね合わせて印刷処理を行うオーバレイ印刷を用いる。
【００２４】
最初に、一般的なオーバレイ印刷について説明する。
【００２５】
オーバレイ印刷とは、レーザプリンタ等のページプリンタが持つページ登録又はフォーム登録と呼ばれる機能を使用する。この印刷方法は、例えば帳票の作成等に用いられる。
【００２６】
例えば、フォーム内の原稿用紙形式の枠線等をフォーム情報として予め登録しておく。
【００２７】
このページプリンタを利用してフォーム情報をテキスト形式のデータ（フィールドデータ）とともに印刷するとき、ページ情報呼び出し又はフォーム情報呼び出しと呼ばれる機能を使用して、前記フォームと前記フィールドデータを重ね合わせて印刷する。
【００２８】
このような重ね合わせ印刷のことをオーバレイ印刷と定義している。
フォーム情報は専用のフォーム情報設計システムを利用して作成される。
【００２９】
また、フォーム情報はフィールドデータに依存しない固定的な図形（フォーム図形）と、受け取ったフィールドデータを指定した出力書式に従い表示する図形（フィールド図形）から構成されているのが一般的である。
【００３０】
図１は、フォーム情報設計システム及びオーバレイ印刷システムが動作するコンピュータシステムの構成を示す。
【００３１】
図１において、ＣＰＵ（１０５）は、主記憶装置（１０６）に記憶されている制御プログラムに従い装置の動作を制御する。
【００３２】
また、主記憶装置ＣＳ（Ｃｅｎｔｒａｌ  Ｓｔｏｒａｇｅ）（１０６）は、外部記憶制御装置（１０７）を介して外部記憶装置（１０８）からロードされたアプリケーションプログラムを記憶する。
【００３３】
以下、外部記憶制御装置（１０７）をＡＳＣ（Ａｕｘｉｌｉａｒｙ  Ｓｔｏｒａｇｅ  Ｃｏｎｔｒｏｌｌｅｒ）と呼ぶ。そして、外部記憶装置（１０８）をＡＳＵ（Ａｕｘｉｌｉａｒｙ  Ｓｔｏｒａｇｅ  Ｕｎｉｔ）と呼ぶ。
【００３４】
このコンピュータシステムを、フォーム情報設計システム、オーバレイ印刷システムとして動作させる為のプログラムもこのＣＳ（１０６）が記憶する。
【００３５】
ＣＳ（１０６）上の制御プログラムや各種アプリケーションプログラムは、以下の二つの装置からの指示によって操作される。
【００３６】
第一の装置は、表示装置（１０１）、キーボード装置（１０２）、操作卓制御装置（１０３）からなるオペレーター操作卓である。
【００３７】
以下、操作卓制御装置をＴＣＵ（Ｔｅｒｍｉｎａｌ  Ｃｏｎｔｒｏｌ  Ｕｎｉｔ）と呼ぶ。
【００３８】
第ニの装置は、ＬＡＮやＷＡＮなどのネットワークを介して接続された外部のコンピュータシステムからの指示情報を本コンピュータシステムに取り込むネットワーク接続機構（１０４）である。
【００３９】
以下、ネットワーク接続機構（１０４）をＮＩＣ（ＮＥＴＷＯＲＫ  Ｉｎｔｅｒｆａｃｅ  Ｃｏｎｔｒｏｌｌｅｒ）と呼ぶ。
【００４０】
プリンタ（１１０）は、入出力制御装置（１０９）を介して本実施例のコンピュータシステムに接続されており、コンピュータシステムから入力されるフォーム情報を予めメモリに登録している。
【００４１】
以下、入力制御装置（１０９）をＩＯＣ（Ｉｎｐｕｔ  Ｏｕｔｐｕｔ  Ｃｏｎｔｒｏｌｌｅｒ）と呼ぶ。
【００４２】
そして、このプリンタ（１１０）は、コンピュータシステムから入力されるテキスト形式のデータと、メモリに予め登録されているフォーム情報に基づいて生成したフォームを重ね合わせてオーバレイパターンを生成する。このように、オーバレイ印刷を行う。
【００４３】
なお、Ｓｙｓｔｅｍ  Ｂｕｓ（１１１）は、ＴＣＵ（１０３）、ＣＰＵ（１０５）、ＣＳ（１０６）、ＡＳＣ（１０７）、ＩＯＣ（１０９）等の間のデータ、及びプログラム命令の転送等が行われる経路である。
【００４４】
図２は、フォーム情報設計システム（２０１）の構成を示すブロック図である。
【００４５】
フォーム情報設計システムを動作させるためのプログラムがＣＰＵ（１０５）により主記憶装置（１０６）にロードされると、ＣＰＵ（１０５）は、図２のフォーム情報制御部（２０２）として動作する。
【００４６】
また、図２のユーザインタフェース部（２０３）は、図１の指示装置（１０１）〜（１０４）として動作することになる。ユーザインタフェース部（２０３）からの指示に応じてＣＰＵ（１０５）は、フォーム情報設計システム（２０１）内のフォーム情報制御部（２０２）を制御する。
【００４７】
フォーム情報制御部（２０２）は、現在設計中のフォーム情報に基づくフォームを図１の表示装置（１０１）に表示させる。また、ユーザインタフェース部（２０３）を介して入力されたユーザの設定命令やフォーム情報作成についての各種命令等を受け付ける。
【００４８】
フォーム情報制御部（２０２）は、ユーザインタフェース部（２０３）から送られてきた情報をもとにフォームを、フォーム情報ファイル（２０４）として作成する。
【００４９】
このファイルは、図１のＡＳＵ（１０８）内に記憶される。
【００５０】
フォーム情報制御部（２０２）は、フィールド図形に対する特色記録剤設定がユーザの指示によりユーザインタフェース部（２０３）を介して行われたかについての判断を行う。また、フォームの編集の終了させるかに、フォームの登録を実行するかについてユーザ指示が行われたか判断を行う。
【００５１】
図３は、オーバレイ印刷システム（３０１）の構成を示すブロック図である。
【００５２】
オーバレイ印刷システムを動作させる為のプログラムがＣＰＵ（１０５）により主記憶装置（１０６）にロードされると、ＣＰＵ（１０５）は、図３のオーバレイ印刷システム（３０１）として動作する。
【００５３】
これと同時に、ユーザインタフェース部（３０２）からの指示に応じてオーバレイ印刷制御部（３０３）、プリンタドライバ部（３０４）を制御する。
【００５４】
このとき、図３のユーザインタフェース部（３０２）は、図１の指示装置（１０１）〜（１０４）として動作することになる。
【００５５】
ユーザインタフェース部（３０２）は、図１のＡＳＵ（１０８）内のフォーム情報ファイル（２０４）やフィールドデータファイル（２０５）の呼び出しをユーザから受け付ける。
【００５６】
すると、ユーザインタフェース部（３０２）は、この入力をオーバレイ印刷制御部（３０３）へ送る。
【００５７】
その後、オーバレイ印刷制御部（３０３）は、ユーザインタフェース部（３０２）である図１の表示装置（１０１）にフォーム情報ファイル（２０４）やフィールドデータファイル（２０５）の名称の一覧を表示させる。
【００５８】
そして、表示されたファイル名称の一覧のうちユーザに選択されたファイル名は、オーバレイ印刷制御部（３０３）へ出力される。
【００５９】
オーバレイ印刷制御部（３０３）は、選択されたフォーム情報ファイル（２０４）とフィールドデータファイル（２０５）を受け付け、読み込む。
【００６０】
次に、それぞれのファイルからフォーム情報に基づいて生成したフォームとフィールドデータを取り出す。
【００６１】
結果、オーバレイ印刷制御部３０３は、これら２つのデータを重ね合わせた印刷データを作成する。
【００６２】
また、オーバレイ印刷制御部（３０３）は、上記印刷データを作成する際、特色記録剤にて記録する設定がされている部分には、特色記録剤による記録を行うように印刷データを作成する。
【００６３】
最終的に、オーバレイ印刷制御部（３０３）はプリンタドライバ部（３０４）を介して、この印刷データをプリンタ（３０５）へ出力する。また、オーバレイ印刷制御部（３０３）は、作成したフォーム情報をプリンタ（３０５）へ登録する。
【００６４】
なお、特色記録剤設定された画像は、特開２００３−２４８３６０に示されるようにプリンタにて印刷時に、特殊記録剤付加が可能である。
【００６５】
また、ここでは特色記録剤としてクリアトナーや、同様の目的を果たすクリアトナー以外の透過性のトナー、インクも使用可能である。
【００６６】
＜フォーム情報ファイルの作成＞
図６は、本実施例のフォーム情報設計システム（２０１）において、フォーム情報ファイル（２０４）を作成する際の処理の手順を示したフローチャートである。
【００６７】
最初に、ユーザインタフェース部（２０３）は、使用するフォームの指定をユーザから受け付ける。すると、ユーザインタフェース部（２０３）は、この受け付けた情報をフォーム情報制御部（２０２）に送る。
【００６８】
次に、フォーム情報制御部（２０２）は、送られてきた情報をもとにフォームに対応したフォーム情報ファイル（２０４）を生成する。
【００６９】
Ｓ１０１では、フォーム情報制御部（２０２）は、当該生成されたフォーム情報ファイル（２０４）をもとにフォームを生成する。
【００７０】
さらに、フォーム情報制御部（２０２）は、生成されたフォームをユーザインタフェース部（２０３）に表示するように制御する。このユーザインタフェース部（２０３）で表示されるフォームは、例えば、図４の４０１のような画像である。
【００７１】
次に、Ｓ１０２において、ユーザインタフェース部（２０３）に表示されたフォーム内の指定領域であるフィールド図形それぞれに対して特色記録剤による記録を行うか否か、ユーザから指示を受ける。
【００７２】
このユーザからの指示を受けたユーザインタフェース部（２０３）は、この指示をフォーム情報制御部（２０２）へ送信し、指示を受信したフォーム情報制御部（２０２）は特色記録剤設定の指示が行われたか否かを判断する。
【００７３】
ここでは、図４の４０２に示す、フィールド図形が特色記録剤設定を行うことができる最小単位となる。
【００７４】
特色記録剤による記録が行われる、つまりフォーム情報制御部（２０２）によって特色記録剤設定がされたと判断された場合Ｓ１０３へ進む。
【００７５】
特色記録剤による記録が行われない、つまりフォーム情報制御部（２０２）によって特色記録剤設定がされなかったと判断された場合はＳ１０７へ進む。
【００７６】
この結果に従いＳ１０３において、フォーム情報制御部（２０２）が指定領域に特色記録剤による記録を行うための特色記録剤設定を行うためのダイアログをユーザインタフェース部（２０３）に表示するように制御する。
【００７７】
その後、Ｓ１０４において、特色記録剤設定を行う。
【００７８】
特色記録剤設定を行うダイアログの一例を図４の４０３に示す。
【００７９】
前記Ｓ１０３〜Ｓ１０４の各工程は、特色記録剤設定が完了するまで行われる（Ｓ１０５）。
【００８０】
Ｓ１０６では、フォーム情報制御部（２０２）がフォーム情報ファイル（２０４）の編集処理が終了したか否かを判断する。
【００８１】
フォーム情報ファイル（２０４）の編集処理が終了したと判断された場合、Ｓ１０７において、再びフォーム情報制御部（２０２）がＳ１０３〜Ｓ１０４において設定した特色記録剤設定をフォーム情報ファイル（２０４）に保存するか否かを判断する。
【００８２】
最後に、Ｓ１０８にて、特色記録剤設定をフォーム情報ファイル（２０４）に保存すると判断された場合には、ユーザインタフェースを介し入力されたフォーム情報ファイルの名称を対応させ保存処理を行う。この時点でフォーム情報ファイル（２０４）作成に関する処理が終了する。
【００８３】
＜オーバレイ印刷の実行＞
図７は、本発明の実施例のオーバレイ印刷システムにおいて、前述した特色記録剤設定に従いオーバレイ印刷処理を行うまでの一連の動作手順を示したフローチャートである。
【００８４】
最初に、Ｓ２０１において、図３のユーザインタフェース部（３０２）はフォーム情報ファイル（２０４）の名称とテキスト形式であるフィールドデータファイル（２０５）の名称の入力をユーザから受け付ける。すると、ユーザインタフェース部（３０２）はこの入力をオーバレイ印刷制御部（３０３）へ送る。
【００８５】
次にＳ２０２において、オーバレイ印刷制御部（３０３）は送られてきた入力情報をもとにユーザからのオーバレイ印刷指示があるか否かを判断する。
Ｓ２０２において、オーバレイ印刷指示がないと判断された場合、処理を終了する。
Ｓ２０２において、オーバレイ印刷指示がされたと判断された場合、Ｓ２０３へ進む。
【００８６】
Ｓ２０３において、オーバレイ印刷制御部（３０３）は、ユーザインタフェース部（３０２）を介して入力されたフォーム情報ファイル名称をもとに該当するフォーム情報ファイル（２０４）を読み込む。このフォーム情報ファイルをもとに生成されたフォームを図５の５０１に示す。
【００８７】
Ｓ２０４において、オーバレイ印刷制御部（３０３）は、フォーム情報ファイル（２０４）から前記Ｓ１０３〜Ｓ１０４で作成した特色記録剤設定情報を取得する。情報ファイル（２０４）を、プリンタ（３０５）のフォーム登録機能を用いて登録する。
【００８８】
そして、Ｓ２０５において取得した特色記録剤設定の情報を有するフォーム情報をプリンタに登録する。
【００８９】
一方、ユーザインタフェース部（３０３）はフォーム中の記載事項であるフィールドデータとなるテキスト形式のデータを含んだデータファイル名称の入力をユーザから受け付ける。ユーザインタフェース部（３０３）は、この入力されたデータファイルの名称をオーバレイ印刷制御部（３０２）へ送る。
【００９０】
Ｓ２０６において、オーバレイ印刷制御部（３０２）はこのデータファイル名称をもとに、該当するデータファイルを読み込む。このフィールドデータを含んだファイルを図５の５０３、５０４に示す。
【００９１】
そして、Ｓ２０７にてデータ解析処理を行うことにより、データファイルから１ページ分の印刷に必要なデータを取得する。
【００９２】
次にＳ２０８において、Ｓ２０４において取得した特色記録剤設定情報から特色記録剤による記録を行うフィールド図形が存在するか否かを判断する。
【００９３】
Ｓ２０８において、例えば図５の５０２のフィールド図形に、特色記録剤設定が行なわれたと判断されたとする。
【００９４】
この場合、次にＳ２０９において、オーバレイ印刷制御部（３０２）はフィールド図形にＳ２０６において取得したデータが格納されるか否かを判断する。
【００９５】
つまり、フィールドデータに印字がされるかどうかについて印字判断を行う。
【００９６】
Ｓ２０９において、特色記録剤設定が行われたフィールド図形にデータが格納されると判断されたとする。
【００９７】
するとこの際、Ｓ２１０へ進み、オーバレイ印刷制御部（３０２）が当該フィールド図形に対し特色記録剤による記録を行うための印刷データを作成する。
【００９８】
図５の５０３に示すように、特色記録剤設定が行われたフィールド図形のうち、例えば、５０２に示す「申請事項（３）」「理由（３）」のフィールド図形にはデータ指定がされているのでデータが格納される。
【００９９】
つまり、印刷後このフィールド図形には文字やイメージが印字される。
【０１００】
この場合、オーバレイ印刷制御部（３０２）は、５０５に該当する箇所に特色記録剤による記録が行われるように印刷データを作成する。
【０１０１】
一方、図５の５０４に示すように、特色記録剤設定が行われたフィールド図形のうち、例えば、５０２に示す「申請事項（３）」「理由（３）」のフィールド図形にはデータが指定されていないのでデータは格納されない。
【０１０２】
つまり、印刷後このフィールド図形には文字やイメージが印字されない。
【０１０３】
この場合、オーバレイ印刷制御部（３０２）は、５０６に該当する箇所に特色記録剤設定が解除された印刷データを作成する。
【０１０４】
このように印刷データが作成された後、Ｓ２１１において、フォームとフィールドデータを重ね合わせオーバレイ印刷処理を行うための印刷データが作成される。Ｓ２０７〜Ｓ２１１の各処理は、フィールドデータファイル（２０５）のデータ解析処理が終了するまで行われる（Ｓ２１２）。
【０１０５】
最終的に、Ｓ２１３において、この重ね合わせを行った後の印刷データは、プリンタドライバ部（３０４）を介してプリンタ（３０５）へ送信される。
【０１０６】
プリンタにて印刷する際、特色記録剤設定が行われたフィールド図形部分であって、文字、イメージの印字が行われる部分には特色記録剤記録が行われることになる。
【０１０７】
図５に特色記録剤設定されたフォーム情報ファイルに、フィールドデータファイルを指定しオーバレイ印刷した場合の実行結果である出力フォームの一例を示す。
【０１０８】
図５の５０５に示すフィールド図形は、特色記録剤設定がされ、５０５に示すフィールド図形いずれもデータの指定がされたため、特色記録剤設定が有効となり、特色記録剤による記録が行われた出力フォームを得る。
【０１０９】
一方、図５の５０６に示すフィールド図形は、特色記録剤設定がされたにも関わらず、５０６に示すフィールド図形にはデータの指定がされなかった。
【０１１０】
したがって、特色記録剤設定解除が行われ、特色記録剤記録が行われない出力フォームを得る。
【０１１１】
なお、２つのデータの重ね合わせについては、Ｓ２１１で行わず、それぞれの印刷データを別々にプリンタへ送信してプリンタ内で行ってもよい。
【０１１２】
以上のように、本実施例により、フォーム内の特色記録剤による記録を行うと指示されたフィールド図形のうち、テキスト形式のデータが印字されるフィールド図形にのみに特色記録剤付加が行われる。
【０１１３】
このため、必要な箇所にのみ特色記録剤による記録を行うので、必要な部分にのみ編集操作の排他制御をすることが可能になる。
【０１１４】
必要な部分とは、用紙内にて第三者による加筆修正等の編集操作時に使用される可能性のある部分である。
【０１１５】
また、必要な箇所のみ特色記録剤付加が行われるので、トナーの消費を抑えることができる。
【０１１６】
（実施例２）
実施例１では、フィールド図形に対する特色記録剤処理設定を、ユーザインタフェースを介して行った。
【０１１７】
この時、特色記録剤処理設定内容をフォーム情報ファイル（２０４）に保存するとともにオーバレイ印刷を実行する際、このフォーム情報ファイル（２０４）を指定することにより実現していた。
【０１１８】
本実施例２ではこれらの処理、用紙内のフォームの特色記録剤による記録を行う位置や領域を、印刷を行うユーザの権限に従い適宜変更する。つまり、ある条件を満たした場合、特色記録剤による記録を行う位置や領域を変更する。
【０１１９】
図９は、本発明の実施例２のオーバレイ印刷システムにおける、オーバレイ印刷処理を行うまでの一連の動作手順を示したフローチャートである。
【０１２０】
ここで、実施例１で用いた図７のフローチャートと同じ動作のものは同じ符号を用いて記載する。
【０１２１】
実施例２では、特色記録剤による記録を行うフォーム情報ファイル（２０４）、及びフォーム情報ファイル（２０４）内のフィールド図形を、印刷を行うユーザごとに予め定義（「特色記録剤処理定義」と呼ぶ）しておく。
特色記録剤処理定義を図８の８０１に示す。
【０１２２】
例えば、印刷するユーザがフォームの作成者の場合、このフォーム作成者は、部長印と課長印の記載に関して権限を有さない。
【０１２３】
したがって、フォーム作成者が印刷する場合、フォーム作成者用の特色記録剤処理定義が用いられるので、この部長印と課長印が記載される予定のフィールド図形にデータ指定がされておらずデータが格納されてなくとも特色記録剤の設定を解除しない。
【０１２４】
Ｓ２０２にて、ユーザからのオーバレイ印刷指示がされたと判断された場合、オーバレイ印刷制御部（３０２）は、特色記録剤処理定義を情報として取得する（Ｓ３０１）。
【０１２５】
印刷の指示を送信する送信元である情報処理装置や印刷装置のログインユーザ名を参照することで、印刷を行うユーザはわかる。
【０１２６】
次に、オーバレイ印刷制御部（３０２）は、フォーム情報ファイル（２０４）から取得した特色記録剤設定情報と、データファイルのデータ解析処理により生成した１ページ分の印刷に必要なデータを得る。（Ｓ２０３〜Ｓ２０７）
そしてオーバレイ印刷制御部（３０２）は、一旦、特色記録剤の設定と、データ指定の有無から特色記録剤による記録を行うためのフィールド図形を特定する（Ｓ３０２）。
【０１２７】
次にＳ３０３では、Ｓ３０１にて取得した特色記録剤処理定義と、Ｓ３０２にて特定した特色記録剤による記録を行うためのフィールド図形から、最終的に特色記録剤による記録を行うためのフィールド図形を決定する。
【０１２８】
更に、Ｓ３０３にて決定されたフィールド図形内に印字された文字やイメージが、任意のユーザによって編集がされないように、印刷データを作成する。
【０１２９】
Ｓ３０４では、フォーム情報ファイル（２０４）内に保存された各フィールド図形のレイアウト位置情報をもとに、フィールド図形領域及びその周辺部分を含む領域を算出する。
ここで、算出する領域にフィールド図形領域の周辺部分を含むことについて、説明する。
【０１３０】
フィールド図形領域内の記載が修正される際、修正印や二重線を用いてフィールド図形内の記載が修正され、フィールド図形領域外に、新たな記載がされることが考えられる。
【０１３１】
フィールド図形領域にのみ特色記録剤付加を行う場合、フィールド図形領域の周辺領域には特色記録剤付加が行われていないので、上述した修正方法を利用し、周辺領域を用いて改竄が行われる恐れがある。
【０１３２】
よってこのような改竄を防ぐため、フィールド図形領域外の周辺部分にも特色記録剤付加を行う必要がある。
【０１３３】
そこで、フィールド図形領域の周辺部分の中で、フィールドデータ内の記載事項を修正する際に関わる領域も判別する。
【０１３４】
この際、単にフィールド図形領域の周辺一定範囲を判別するだけでもよいが、図９のＳ３０４に記載された「編集が困難な領域」の判別を行っても良い。
【０１３５】
この「編集が困難な領域」とは図８の８０３に示されたフォームの場合、「申請日」や「申請者」と書かれたような、すでに印字がされており修正のための記載が困難な領域のことを言う。
【０１３６】
この領域には、フィールド図形の周辺でも特色記録剤設定を行わない。
【０１３７】
また、この周辺範囲の設定は、ユーザが予め設定した値に基づいてもよいし、用紙に印字される文字サイズ１文字分の大きさに基づき自動的に決定されてもよい。
【０１３８】
この際オーバレイ印刷制御部（３０２）が、前記領域に対し特色記録剤による記録を行うための印刷データを作成する。
【０１３９】
図８の８０２は、印刷ユーザが「作成者」である場合の出力フォームである。
【０１４０】
例えば、作成者がテスト印刷として５０６に記載されているような帳票を出力する際、このテスト印刷物が不正に利用されるおそれがある。
【０１４１】
これを防ぐためにも、部長印や課長印が印字されるフィールドには８０２のように入力の妨げになるよう特色記録剤付加を行う。
【０１４２】
この時付加される記録剤は特色記録剤に限らず、フィールドデータへの入力の妨げとなりうるような記録剤を用いても良い。
【０１４３】
また、フィールドデータ中に印字が設定されていない場所には、クリアトナーなどの透明記録剤を用いなくても良い。
【０１４４】
図８の８０４に示すフィールド図形は、データの記載指定の有無に関係なく、特色記録剤処理定義で特色記録剤による記録を行うとされたのフィールド図形である。したがって、８０４に示すフィールド図形は特色記録剤設定が有効となり、特色記録剤記録が行われる。
【０１４５】
これによって「作成者」によって「承認者」が入力すべき項目に対する編集操作がされることを防ぐことができ、記載部分の保護が可能になる。
【０１４６】
図８の８０３は、印刷ユーザが「承認者」である場合の出力フォームである。
図８の８０５に示すフィールド図形は、データの指定有無に関係なく、特色記録剤処理定義で特色記録剤による記録を行うとされたのフィールド図形である。したがって、特色記録剤設定が有効となり、特色記録剤記録が行われる。
【０１４７】
これによって「作成者」によって作成された情報に対し「承認者」が勝手に編集・修正操作を行うことを防ぐことができ、記載部分の保護が可能になる。この場合、特に該当フィールド図形の周辺部分を含む領域全体が特色記録剤で記録される。
【０１４８】
実施例２にて用いられる特色記録剤は、実施例１と同様、クリアトナーのように透過性のトナーやインク等の記録剤でもよい。
【０１４９】
また、印字がされないが、権限上特色記録剤を付加するフィールドデータには、不透明な記録剤を用いても構わない。
【０１５０】
実施例２では、フォーム内の特色記録剤による記録を行う位置や領域が印刷を行うユーザごとに決定される。
【０１５１】
このため出力フォーム内のデータを不用意に編集・加工されることを効率的に防止することができる、といった効果が得られる。
【０１５２】
（本発明の他の実施形態）
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。また、前述のプログラムが記憶された記憶媒体はもちろんそのプログラム自体も上述の実施形態に含まれる。
【０１５３】
かかる記憶媒体としては、例えばフロッピー（登録商標）ディスク、ハードディスク、光ディスク、光磁気ディスク、ＣＤ−ＲＯＭ、磁気テープ、不揮発性メモリカード、ＲＯＭを用いることができる。
【０１５４】
また、前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図面の簡単な説明】
【０１５５】
【図１】フォーム情報設計システム、及びオーバレイ印刷制御システムが動作するコンピュータシステムの構成図。
【図２】フォーム情報設計シテムの構成を示すブロック構成図。
【図３】オーバレイ印刷システムの構成を示すブロック構成図。
【図４】ユーザインタフェース部を介して表示されたフォーム、及びフォームの指定領域に対する特色記録剤設定方法の一例。
【図５】特色記録剤設定されたフォーム情報ファイルにデータを指定しオーバレイ印刷した場合の出力結果の一例。
【図６】実施例１のフォーム情報ファイルを作成するフローチャート。
【図７】実施例１の特色記録剤設定に従いオーバレイ印刷処理を行うフローチャート。
【図８】印刷ユーザごとの特色記録剤処理定義、及び特色記録剤処理定義に従い特色記録剤設定されたフォーム情報ファイルにデータを指定しオーバレイ印刷した場合の出力結果の一例。
【図９】実施例２の特色記録剤処理定義従いオーバレイ印刷処理を行うフローチャート。
【符号の説明】
【０１５６】
１０１  表示装置
１０２  キーボート装置
１０３  操作卓制御装置（ＴＣＵ：Ｔｅｒｍｉｎａｌ  Ｃｏｎｔｒｏｌ  Ｕｎｉｔ）
１０４  ネットワーク接続機器（ＮＩＣ：Ｎｅｔｗｏｒｋ  Ｉｎｔｅｒｆａｃｅ  Ｃｏｎｔｒｏｌｌｅｒ）
１０５  中央演算装置（ＣＰＵ）
１０６  主記憶装置（ＣＳ：Ｃｅｎｔｒａｌ  Ｓｔｏｒａｇｅ）
１０７  外部記憶制御装置（ＡＳＣ：Ａｕｘｉｌｉａｒｙ  Ｓｔｏｒａｇｅ  Ｃｏｎｔｒｏｌｌｅｒ）
１０８  外部記憶装置（ＡＳＵ：Ａｕｘｉｌｉａｒｙ  Ｓｔｏｒａｇｅ  Ｕｎｉｔ）
１０９  入出力制御装置（ＩＯＣ：Ｉｎｐｕｔ  Ｏｕｔｐｕｔ  Ｃｏｎｔｒｏｌｌｅｒ）
１１０  プリンタ
１１１  制御バス
２０１  フォーム情報設計システム全体
２０２  フォーム情報制御部
２０３  ユーザインタフェース部
２０４  フォーム情報ファイル
２０５  フィールドデータファイル
３０１  オーバレイ印刷システム全体
３０２  ユーザインタフェース部
３０３  オーバレイ印刷制御部
３０４  プリンタドライバ部
３０５  プリンタ
４０１  フォーム情報ファイル
４０２  特色記録剤処理設定を行うために選択したフィールド図形
４０３  特色記録剤処理の設定を行うダイアログ
５０１  フォーム情報ファイル
５０２  特色記録剤設定がされたフィールド図形
５０３  すべてのフィールド図形にデータを指定したデータファイル
５０４  一部のフィールド図形にデータを指定しないデータファイル
５０５  データを指定され特色記録剤処理されたフィールド図形
５０６  データを指定されなかったため特色記録剤処理が解除されたフィールド図形
８０１  特色記録剤処理定義
８０２  印刷ユーザが「作成者」の場合のオーバレイ印刷結果
８０３  編集操作を防ぐために特色記録剤処理されたフィールド図形
８０４  印刷ユーザが「作成者」の場合のオーバレイ印刷結
８０５  データを不用意に編集・加工されることを防ぐために周辺部分を含む領域全体が特色記録剤処理がされたフィールド図形
【図１】
0005361222.tif 000002
【図２】
0005361222.tif 000003
【図３】
0005361222.tif 000004
【図４】
0005361222.tif 000005
【図５】
0005361222.tif 000006
【図６】
0005361222.tif 000007
【図７】
0005361222.tif 000008
【図８】
0005361222.tif 000009
【図９】
0005361222.tif 000010